(57)【特許請求の範囲】
【請求項１】
各個の調整状態に応じて入射光量に対応した映像信号のレベルが調節される複数の露出制御手段を備え、該複数の露出制御手段は夫々の調整が順次のシーケンスで実行されるようになされ、且つ、一の露出制御手段を除く他の露出制御手段の制御を所定値に保持した条件下で当該一の露出制御手段による調整動作を行なうことにより上記映像信号のレベル検出出力の変化率の絶対値が所定の閾値以下になったことが検出されたときに他の一の露出制御手段による調整動作のシーケンスに移行するように構成され、更に、静止画記録と動画記録とを操作者の任意によって選択的に実行するための手段を備え、且つ、静止画像撮影に際しストロボを使用するか否かを弁別する弁別手段と、素子シャッターにおけるシャッター速度を制御するシャッター速度制御手段とを備え、上記弁別手段がストロボを使用することを弁別したときには、上記シャッター速度制御手段はシャッター速度を高速側限界値となるように制御するように構成され、更に、該高速側限界値はその範囲内に当該ストロボの最大発光の発光波形の有効期間が包含されるように設定されるものであることを特徴とする電子的撮像装置。
【発明の詳細な説明】
【０００１】
【産業上の利用分野】
本発明は、ストロボを用いた撮影に適合する露出制御を行う電子的撮像装置に関する。
【０００２】
【従来の技術】
従来、ビデオカメラなどに代表される電子的撮像装置においては、一般的に、所謂、シャッター速優先での露出制御が行われていた。その一例として、ＮＴＳＣ方式に適合するビデオカメラの場合、毎フイールドの露光時間であるシャッター速は、６０コマ／ｓｅｃのフィールドレートに対応して１／６０ｓｅｃに固定され、この状態で入射光量に応じて得られる輝度信号レベルが所定の定常値となるように、絞りが制御される方式が採用されていた。
【０００３】
図１２は、上記従来の電子的撮像装置のシステムブロック図である。本撮像装置においては、電源スイッチ（図示しない）をオン状態にした後、テーキングレンズ１および絞り２を通過した光は、ＣＣＤ３上に被写体像として結像する。その被写体像を光電変換した後、ＣＤＳ回路４で雑音抑圧される。ＣＤＳ回路４からＬＰＦ５を通過した映像信号は、輝度信号Ｙとして撮像プロセス回路６に導入される。一方、ＬＰＦ５を通過しない映像信号は、撮像プロセス回路６でＣＣＤ３のカラーコーディング方式に基づき色分離される。更に、撮像プロセス回路６の出力は、電子ビューファインダーの信号処理回路（ＥＶＦ回路）７を通り、表示器８に画像として表示される。
【０００４】
そして、マイコン（マイクロコンピュータ）１４の指令によりＣＣＤのタイミング発生回路１０によって露光期間タイミングが生成されＣＣＤドライブ回路１１によりＣＣＤ３が駆動される。なお、このときのシャッター速度、即ち、露光時間は一定とする。
【０００５】
一方、ＣＤＳ回路４、ＬＰＦ５を経過したＹ信号は、ビデオレベル検出回路９に入力するが、例えば、Ｙ信号の平均電圧レベルとしてマイコン１４に各時点での露出状態を認知させる。マイコン１４は、例えば、シャッター速を１／６０ｓｅｃに対して、常に一定の映像信号レベルとなる方向に絞り制御部１２を制御する。なお、録画ＳＷ（スイッチ）１３をオンとすると上記撮像プロセス回路６の映像出力信号が図示しない記録系に出力され、映像信号の記録が実行される。
【０００６】
【発明が解決しようとする課題】
ところで、この種の電子的撮像装置では、複数の露出制御手段の中で、１つの露出制御手段を除いたその他の手段の制御が固定値に固定された状態で残りの調整値を決定するにあたり、そのトランジェント期間、即ち、過渡変化をする不定期間をタイマー手段のタイマ計時によりマスクするソフトウェアーシーケンスの方法を採用している場合は、当該制御に入る前の状態によりトランジェント期間は異なったものであるにも係わらず一定期間の待機状態が存在することになる。従って、上記タイマーによる制御は、生じ得る最長の期間をタイマー期間に設定せねばならず、静止画トリガースイッチがオンしてから記録までのシャッタタイムラグが長くなってしまう。そして、該タイムラグが短ければ短いほどシャッタチャンスを損なわないことに対して不利な状態になる。一方、この種の撮像装置では静止画の撮像を行なう専用機としてあるのみならず動画の撮像も同じ装置で行なえれば一層便利である。また、撮影にストロボを適用する場合には、非常に高速に設定されたシャッタスピードにおいてもストロボ発光の有効期間が実効的な露出期間を逸脱してしまって発光エネルギーの無駄が生じてしまうようなことのないようにする必要がある。
【０００７】
本発明は、上述のような点に鑑みてなされたものであり、できるだけシャッタタイムラグを少なく動作させることが可能であると共に、静止画の撮像を行なうのみならず動画の撮像も同じ装置で行なうことができ、更に、撮影にストロボを適用する場合には、ストロボ発光の有効期間が実効的な露出期間内に収まってストロボの発光エネルギーに関するロスが少なくなるような電子的撮像装置を提供することを目的とする。
【０００８】
【課題を解決するための手段】
上記課題を解決するために、本発明の電子的撮像装置は、各個の調整状態に応じて入射光量に対応した映像信号のレベルが調節される複数の露出制御手段を備え、該複数の露出制御手段は夫々の調整が順次のシーケンスで実行されるようになされ、且つ、一の露出制御手段を除く他の露出制御手段の制御を所定値に保持した条件下で当該一の露出制御手段による調整動作を行なうことにより上記映像信号のレベル検出出力の変化率の絶対値が所定の閾値以下になったことが検出されたときに他の一の露出制御手段による調整動作のシーケンスに移行するように構成され、更に、静止画記録と動画記録とを操作者の任意によって選択的に実行するための手段を備え、且つ、静止画像撮影に際しストロボを使用するか否かを弁別する弁別手段と、素子シャッターにおけるシャッター速度を制御するシャッター速度制御手段とを備え、上記弁別手段がストロボを使用することを弁別したときには、上記シャッター速度制御手段はシャッター速度を高速側限界値となるように制御するように構成され、更に、該高速側限界値はその範囲内に当該ストロボの最大発光の発光波形の有効期間が包含されるように設定されるものであることを特徴とする。
【０００９】
【作用】
このようにして、例えば、ストロボトリガーがかけられてからＣＣＤのトランスファーゲートが開となって素子シャッターによる露光が終了する時点までの期間を最低でもこの期間内にストロボの有効発光期間が含まれるように確保することによって、ストロボ発光光量が効率的に利用できる。
【００１０】
【実施例】
以下、図示の実施例に基づいて本発明を説明する。
【００１１】
図１は、ある電子的撮像装置のシステムブロック図である。本例の撮像装置としては、一部の構成が前記図１２に示した従来の電子的撮像装置と同様である。従って、該同一構成部は、図１２と同一符号で示し、その構成，動作等の説明は省略する。
【００１２】
特に、本例の撮像装置においては、マイコン（マイクロコンピュータ）２０により、ＣＣＤ３の露光時間、即ち、シャッター速度が決定され、該マイコン２０の指令によりＣＣＤのタイミング発生回路２１によって露光期間タイミングが生成され、ＣＣＤドライブ回路２２によりＣＣＤ３が駆動されるものとする。
【００１３】
更に、ＣＤＳ回路４、ＬＰＦ５を経過したＹ信号は、ビデオレベル検出回路２３に入力するが、例えば、該Ｙ信号の平均電圧レベルとしてマイコン２０に各時点での露出状態を認知させる。マイコン２０は、前述のようにシャッター速を決定すると同時に、絞り制御手段である絞り制御部２４をコントロールし、例えば、シャッター速を１／６０ｓｅｃとしたとき、ビデオレベル検出出力Ｖｔに応じて、基準レベルＶｒｅｆと比較して、Ｖｔ＞Ｖｒｅｆのとき、絞り２を絞る方向に制御する。また、Ｖｔ＜Ｖｒｅｆのとき、絞り２を開く方向に制御する。このようにして、常に一定の映像信号レベルとなる方向にフィードバック制御される。
【００１４】
また、静止画像の撮影を行うに際しては、マイコン２０に内蔵される弁別手段がビデオレベル検出出力Ｖｔによりストロボを適用して撮影すべきかをどうかを弁別する。ストロボ発光を必要と判別したときは、絞り２を開放状態乃至これに近い状態とし、そして、ストロボ回路２５を介してストロボ発光部２６によりストロボ発光を行って撮影を実行する。また、該ストロボ発光による被写体からの反射光は、フォトセンサ２８により受光され、光量積分回路２７を介してその光量が検出される。そして、該積分光量が適正光量に到達したときにストロボ発光が停止される、所謂、普通オート方式のストロボ調光が行われる。
【００１５】
また、動画録画ＳＷ（スイッチ）２９、または、静止画録画ＳＷ（スイッチ）３０をオンしたときは、撮像プロセス回路６の出力は電磁変換のための変調等の処理をされ、磁気記録媒体等に動画、または、静止画信号が記録される。なお、このとき、後述する図１１に示すように記録の一定期間、メモリの連続読み出しを行うことにより静止画の連続的出画を行っても良いものである。
【００１６】
以上のような構成をもつ本装置の撮影動作について、図２，３，４のフローチャート、および、図５のタイムチャートを用いて説明する。
【００１７】
電源スイッチがオンされると、図２のフローチャートの処理がスタートする。まず、動画記録に設定され、ステップＳ１でシャッタ速が、例えば、１／６０ｓｅｃ固定される。その後、タイマ１の計時をスタートさせ、トランジェント期間の画像変動期間の経過を待つ（ステップＳ２，３）。そして、露出が安定した後、ＥＶＦ表示を行う（ステップＳ４）。
【００１８】
ここで、記録の待機状態となり、動画録画ＳＷ２９がオンしたときにはフィールドタイミングに同期して記録が行われ、該録画ＳＷ２９オフによって記録を終了する（ステップＳ５〜Ｓ９）。
【００１９】
一方、フロー接続部Ｊ１を介して図３のステップＳ１１に進んだ場合、静止画録画ＳＷ３０のオンオフ判別処理を行い、該静止画録画ＳＷ３０がオンされたことを検出したときは、ステップＳ１２において現在の絞りの値と後述する基準の比較絞り値とを比較し、現在の絞り値が比較絞り値より小さいときにはストロボ発光処理を適用するため、ステップＳ１３に進む。また、比較絞り値より大きいときには、ステップＳ１６にジャンプする。本装置においては、ビデオレベル検出の内、全体エリアの平均値の他に中央部の小エリアの平均値を別途出力するように構成してあり、該ステップＳ１６では、上記両者の出力の差レベルにより逆光判定をする。即ち、全体の平均レベルに対して中央エリアの平均が所定値より小さいとき逆光状態を判別する。そして、ステップＳ１３にジャンプし、ストロボ発光処理を適用する。また、上記の判別で逆光状態ではないと判別されたときは、ストロボ発光は不必要として、ステップＳ１６以降ステップＳ２１に進み、絞りとシャッター速を固定後記録動作に推移する。ステップＳ２１で記録を終了した後は、フローの接続部Ｊ２を介して図２のステップＳ５に戻る。
【００２０】
なお、上記ステップＳ１２の基準の比較絞り値には、低照度時にストロボ発光させたい照度閾値に対応する絞り値、例えば、Ｆ＝２．８を対応させる。従って、現在の絞り値が上記基準の比較絞り値２．８より小さいときにストロボ発光を適用することになる。
【００２１】
ストロボ発光処理を適用すべきであると弁別し、ステップＳ１３に進んだ場合、絞りを開放、および、ＡＧＣゲインの固定を行うと同時に、シャッター速を低速、および、高速限界内で可変設定することを許可する。これによりビデオレベル検出出力Ｖｔを一定値、即ち、基準の比較値Ｖｒｅｆと等しくするために、後述するステップＳ１４，１５でのタイマ２のカウント期間中はビデオレベル検出出力Ｖｔの値と基準の比較値Ｖｒｅｆとの比較に基づき、フィードバック制御の処理によりＶｔ＞Ｖｒｅｆのときにはシャッタ速を高速側にシフトするように、Ｖｔ＜Ｖｒｅｆのときにはシャッタ速を低速側にシフトするようにそれぞれ設定される。この動作中ビデオレベルが安定するまでは実効のシャッタ速が得られないため、その期間はタイマ２により待機状態とする（ステップＳ１４，１５、図５のタイムチャート参照）。その後、図４のステップＳ３１に進む。
【００２２】
上記一定時間経過後、ビデオレベル検出出力ＶｔがＶｔ≦Ｖｒｅｆのときは、シャッター速を固定保持し、ストロボ発光の露出条件が決定される（ステップＳ３２）。また、Ｖｔ＞Ｖｒｅｆのときは、絞りが開放で且つ高速限界のシャッター速となっている状態であるため、シャッター速をその限界値に固定して絞りの可変許可をする（ステップＳ３８）。このときＶｔ＝Ｖｒｅｆに向かって絞りが制御されるが、前述同様にビデオレベル安定迄の時間をタイマ３の計時により待機させる（ステップＳ３９，４０）。ステップＳ４１で絞りを固定し、ストロボ発光による露出条件を決定し、ステップＳ３３に進む。
【００２３】
その後、ステップＳ３３〜３７において、ストロボ発光と露光を実行する。更に、ステップＳ４２〜４５において、記録媒体への映像信号の記録を実行する。その後、フロー接続部Ｊ２を介して、前記図２のステップＳ５に戻る。
【００２４】
なお、ストロボ発光を行った場合、前述したように発光タイミング信号をマイコン２０から送出し、ストロボ発光を開始させるが、その後、ストロボ発光の被写体反射光をフォトセンサー２８で受光して、適正な露光量に一致した光電流積分値に到達したときに該ストロボ発光が停止される。
【００２５】
ストロボ発光を弁別後、ストロボ発光に至るまでの各制御タイミングおよびビデオレベル検出出力Ｖｔの変化の様子は図５に示すが、レベル検出出力のＶｔ＜Ｖｒｅｆ、Ｖｔ＝Ｖｒｅｆ、Ｖｔ＞Ｖｒｅｆの３形態の代表例に関して、タイマ２のカウント期間が終了後の映像信号レベル判定であるＶｔ≦Ｖｒｅｆ（基準比較値）の判定の結果を具体的な値を用いて詳細に説明する。
【００２６】
まず、Ｖｔ＜Ｖｒｅｆの場合は、その絞り，シャッタ速，ゲインアップの変化を表１に示す。
【００２７】
【表１】
0003627820.tif 000002
【００２８】
この場合、上記表１に示すようにタイマ２がスタートする時刻Ｔ１以前のＥＶＦ出力状態で絞り値がＦ１．４（開放）、シャッタ速が１／６０ｓｅｃ、ＡＧＣのゲインアップ量が＋６ｄＢの状態のもとでＶｔ＝Ｖｒｅｆであったとする。絞りおよびゲイン固定後、タイマー２のカウント期間に入るが絞りは開放状態に固定され、ゲイン量は＋６ｄＢから０ｄＢに変更固定されるため、ビデオレベル検出出力Ｖｔのレベルは一旦下降する。シャッタ速は、Ｖｔ＝Ｖｒｅｆの方向に変化可能であるが１／６０ｓｅｃを低速限界としているため変化しないこととなる。この結果、時刻Ｔ２時点で検出出力Ｖｔは、安定レベルとなりシャッタ速を固定し、その後、ストロボ発光が行われる。
【００２９】
また、Ｖｔ＝Ｖｒｅｆの場合は、その絞り，シャッタ速，ゲインアップの変化を表２に示す。
【００３０】
【表２】
0003627820.tif 000003
【００３１】
この場合、上記表２に示すようにタイマ２がスタートする時刻Ｔ１以前のＥＶＦ出力状態で絞り値がＦ２、シャッタ速が１／６０ｓｅｃ、ＡＧＣのゲインアップ量が０ｄＢの状態のもとでＶｔ＝Ｖｒｅｆであったとする。絞りおよびゲイン固定後、タイマー２のカウント期間に入るが絞りはＦ１．４に変更して固定され、ゲイン量はそのまま０ｄＢに固定されるため、ビデオレベル検出出力Ｖｔのレベルは一旦上昇する。シャッタ速は、Ｖｔ＝Ｖｒｅｆの方向に変化可能であるため、高速側に推移する。時刻Ｔ２のとき上記検出出力Ｖｔは安定レベルとなり、シャッタ速１／１２０ｓｅｃに固定される。その後、ストロボ発光が行われる。
【００３２】
また、Ｖｔ＞Ｖｒｅｆの場合は、その絞り，シャッタ速，ゲインアップの変化を表３に示す。
【００３３】
【表３】
0003627820.tif 000004
【００３４】
上記表３に示すようにタイマ２がスタートする時刻Ｔ１以前のＥＶＦ出力状態で絞り値がＦ５．６、シャッタ速が１／６０ｓｅｃ、ＡＧＣのゲインアップ量が０ｄＢの状態のもとでＶｔ＝Ｖｒｅｆであったとする。
【００３５】
絞りおよびゲイン固定後、タイマー２のカウント期間に入るが、絞りはＦ＝１．４に変更固定され、ゲイン量は０ｄＢで固定されるためＶｔは一旦上昇する。シャッタ速はＶｔ＝Ｖｒｅｆの方向に変化可能であるが高速側シャッタ速は１／５００ｓｅｃを限界速度としているため、Ｖｔ≦Ｖｒｅｆを満足しない。そこで、シャッタ速を高速限界の１／５００ｓｅｃに固定し、絞り固定の状態を解除後タイマー３のカウント期間に入る。Ｖｔは、一旦、下降し、絞りはＶｔ＝Ｖｒｅｆとなる方向に推移する。この結果、Ｔ３時点で検出レベルＶｔは、安定レベルとなり、その後、絞りを固定し、ストロボ発光が行われる。
【００３６】
上述のように、本例の撮像装置では、動画撮影時には、映像信号の輝度情報により、絞り、シャッタ速、映像信号増幅度が閉ループ内で自動的に制御され、更に、静止画撮影時には、弁別手段によりストロボ発光が必要と判別したときには開放乃至これに比較的近い絞りに自動的に制御され、ストロボ発光の光量のロスを減らし、効率を向上させることができる。
【００３７】
次に、別の電子的撮像装置について、図６，７，８を用いて説明する。
【００３８】
本実施例の説明の前に、本発明の目的を再度説明する。すなわち、上記図１の例にあっては、図２〜図４のフローチャートに示すように、１つの露出制御手段を除いたその他の手段の制御が固定値に固定された状態で残りの調整値を決定するにあたり、そのトランジェント期間、即ち、過渡変化をする不定期間をタイマー手段、例えば、ステップＳ２，３、また、ステップＳ１４，１５、また、ステップＳ３９，４０等のタイマ１，２，３計時によりマスクするソフトウェアーシーケンスの方法を採っている。この手段では当該制御に入る前の状態によりトランジェント期間は異なったものであるにも係わらず一定期間の待機状態が存在することになる。従って、上記例の装置のタイマーによる制御は、可能性のある最長の期間をタイマー期間に設定せねばならず、静止画トリガースイッチがオンしてから実際に記録が行われるまでのシャッタタイムラグが長くなってしまう。そして、このようなシャッタタイムラグが長ければ長いほどシャッタチャンスを的確に捉えることに対して不利な状態になる。
【００３９】
本例の撮像装置は、上述のような問題点を解決するものであって、本例の撮像装置は、ある条件によって複数の露出制御手段の中で１つの手段を除いたその他の手段の制御を所定の固有値に保持し、残りの手段の調整値を決定するにあたり、映像信号のレベル検出出力の単位時間当たりの変化量の差が所定量以下になったことを検出した時点で、調整値の固定をすることを特徴とするものである。
【００４０】
即ち、本実施例の装置においては、例えば、図６のシャッタ速固定後のフローチャートに示すように、時刻ｎ−１でのビデオレベル検出出力データＤｎ−１とこの時刻から微少時間経過した時刻ｎでのデータＤｎとの差分を所定値ｋと逐次比較し、当該差分（即ち、ビデオ信号の検出レベルの変化率）が所定値ｋに一致、あるいは、ｋより小さくなったときに次のシーケンスに移行することによりできるだけシャッタタイムラグを少なく動作させることが可能である。
【００４１】
図７は、上記調整制御のタイムチャートを示し、図８は、調整信号出力部回りのブロック図を示す。これらの図に示すように、ビデオレベル検出回路４１からの出力であるビデオレベル検出出力Ｖｔを、例えば、シャッタ速を固定したときに演算スタートパルスを発生し、データー演算期間に入ると同時にｎおよびｎ−１のラッチ回路４３，４４にリセットを掛ける。ビデオレベル検出回路４１からの出力であるビデオレベル検出出力Ｖｔは、サンプリングクロック信号によりＡ／Ｄ回路４２によりＡ／Ｄ変換され、時刻ｎおよびｎ−１にて該データＤｎ，Ｄｎ−１がラッチされる。そして、減算回路４５によるデータＤｎ，Ｄｎ−１の減算結果が比較回路４６に逐次送出される。
【００４２】
図７のタイムチャートで説明すると、時刻ｎに対応するクロックのタイミングでのデータと時刻ｎ−１に対応するクロックのタイミングのデータとの差分のデータＤｎ−Ｄ（ｎ−１）の演算結果が経時的に逐次比較回路４６に供給されることとなる。上記比較回路４６では予め設定される閾値となるデータが格納された比較データＲＯＭ４７内のデータｋと上記順次の演算結果とを逐次比較して当該両データの差分値が｜Ｄｎ−Ｄ（ｎ−１）｜≦ｋとなった時に、調整終了を示すコントロール信号を出力し、データ演算を終了する。
【００４３】
このように本例の装置では、トランジェント期間において常にＶｔを監視し、Ｖｔの変動がほぼ無いと判定されたときには、即刻、次のシーケンスに移行する。この処理により種々の状況において最短のタイムラグが保証されると言う明確な効果を得ることができる。
【００４４】
なお、｜Ｄｎ−Ｄ（ｎ−１）｜≦ｋの判別にあたっては、判定結果が連続して数回条件を満足することにより次のシーケンスに移行するようにして、判断ミスを防止することも可能である。
【００４５】
次に、本発明の実施例である電子的撮像装置について、図９を用いて説明する。
【００４６】
前記例の撮像装置では、図４のフローチャートに示すように、ストロボ適用を弁別した後、ステップＳ３１の映像信号レベルＶｔ≦Ｖｒｅｆ？の判定結果、当条件に該当しない場合、ステップＳ３８にジャンプして、絞り固定の解除をすると同時にシャッタ速を高速側限界値に固定している。それに対して本実施例の装置では、上記高速限界値を決定するにあたり、当該装置のストロボ最大発光の発光波形の有効期間に対して、それより長い期間をストロボおよび定常光の露光期間とするようにシャッタ速の高速側限界値を設定してなるものである。
【００４７】
図９のタイムチャートに従いストロボ発光のシーケンス例（いわゆる素子シャッターによる露光制御のシーケンス）を説明すると、まず、ＣＣＤの光電変換部に相当するホトセルは電荷排出タイミング期間により、それ以前の電荷を排出する。該排出の後からが実際の露光期間となるがストロボトリガータイミングによりストロボ発光がされ、ストロボ発光の有効期間を経てホトセルから垂直シフトレジスターに転送するトランスファーゲートが開と成るタイミングにより露光期間の終了となる。その後、垂直および水平シフトレジスターの転送によって画像転送が行われることとなる。
【００４８】
以上のように本実施例の撮像装置では、ストロボトリガーがかけられてからトランスファーゲートが開となって素子シャッターによる露光が終了する時点までの期間を最低でもこの期間内にストロボの有効期間が含まれるように確保することによって、ストロボ発光光量が効率的に利用できるように処理される。当然ながらこのような限界シャッタの制御が為されないときには露光期間外までストロボ発光の有効期間が延びることになり無駄なエネルギーを費やすことになる。
【００４９】
また、ここでは、露光終了タイミングをストロボ最大発光の有効期間限界とし、長時間側をストロボ発光タイミングより手前に電荷排出タイミングを発生するようにし、限界タイミングとして電荷排出後、即時にストロボトリガーを与えるようにしているが、同様の考え方として電荷排出とストロボトリガーをほぼ同時刻に実施し、トランスファーゲートのタイミングを長時間の露光時には遅れて発生するようにしても同様の結果が得られる。
【００５０】
次に、また別の例である電子的撮像装置について、図１０，１１を用いて説明する。
【００５１】
本例の撮像装置は、静止画撮影指示スイッチがオンとなった後、当該撮影にストロボ撮影を適用すべきことを弁別したときは、それ以前に動画出力から静止画出力に切り換えてＥＶＦ表示を行うことを特徴とするものである。
【００５２】
即ち、図１０は、上記本例の撮像装置におけるＥＶＦ表示関連部のブロック構成図であり、図１０に示す以外の構成要素は、前記図１の例のブロック構成図に示されるものと共通とする。また、図１０に示す構成要素であっても前記例のものと同一の構成要素のものは同一の符号を付して説明する。
【００５３】
上記図１０に示すように撮像プロセス回路６から出力される映像信号は、Ａ／Ｄ変換回路５１を経てメモリーコントローラー５４の制御により１フィールドの画像情報がフィールドメモリ５２上に記録されるようになっている。同時に、フィールドメモリ５２の出力を巡回して取り出すことができる構成になっている。
【００５４】
該メモリ５２の出力は、Ｄ／Ａ変換回路５３を経て切り換えＳＷ（スイッチ）５５の一端側に入り、他の一端側は、撮像プロセス回路６の直接入力側となっている。この切り換えＳＷ５５のコモン端子側は、ＥＶＦ回路７に接続され、表示器８に画像表示を可能となっている。更に、上記コモン端子側は、変調記録系への画像信号出力をコントロールするコントロールＳＷ（スイッチ）５６にも接続されている。
【００５５】
マイコン６０は、メモリコントローラー５４のタイミング制御と、ＥＶＦ出力の撮像プロセス回路６からの直接動画とフィールドメモリ５２からの連続的な静止画との切り換え、記録動作の制御等を実行する。
【００５６】
以上のように構成された本例の撮像装置におけるＥＶＦ表示動作を前記例の撮像装置により図３，図４の撮像処理フローチャートの各処理タイミングに従って図１１のタイムチャートにより説明すると、まず、ストロボ撮影を弁別した後の図３のステップＳ１３のタイミングＴａにおいて、トランジェント期間の画像変動を表示器８に出力しないために、前記切り換えＳＷ５５により撮像プロセス回路６からの動画出力状態からフィールドメモリ５２からの静止画出力状態に切り換えられる。このとき、フィールドメモリ５２は新たな書き込みを禁止して、読み出しのみを繰り返す。その表示タイミングは、図１１のタイムチャートで静止画１の出力期間で示される。
【００５７】
次に、図４のフローチャートのステップＳ３４のタイミングＴｂでストロボ発光の指令とともにストロボ発光し、ステップＳ３７のタイミングＴｃで露光を完了する。ステップＳ４３において、当該フィールドの映像信号は、Ａ／Ｄ変換回路５１を通りフィールドメモリ５２にタイミングＴｄで書き込まれると同時に繰り返し読み出し、モードとしてＥＶＦ回路７に繰り返し出力する。その表示タイミングは、図１１のタイムチャートで静止画２の出力期間として示される。
【００５８】
ＥＶＦ回路７の出力は、タイミングＴａ時点の画像からストロボ発光した記録画像と等価な画像に切り換えられ、撮影者が確認できる。その後、図４のステップＳ４５のタイミングＴｅで静止画記録が終了し、ＥＶＦ回路７の出力も初期状態の動画出力時と同様の撮像プロセス回路６の直接出力信号が出力され、表示される。
【００５９】
以上のように、本例の撮像装置は、ＥＶＦ表示において静止画撮影時にストロボ撮影を適用すべきことを弁別したとき、若しくは、それに先だって動画出力から静止画出力に切り替えることにより、例えば、上記タイミングＴａからＴｂの期間における前記図５のタイムチャートに示すようなビデオレベル検出出力Ｖｔの変化による画像変動、更に、上記タイミングＴｃからＴｄの間に生じる定常光のみの画像からストロボ発光を含む画像への瞬間的な変化に対して、適時先頭画面を静止画として表示することにより撮影者に違和感を与えることのないＥＶＦ表示が可能となる。
【００６０】
【発明の効果】
本発明によれば、種々の状況においてシャッタタイムラグを極小にすることができる。更に、静止画記録と動画記録とを操作者の任意によって同じ装置で選択的に行なうことが可能であるため大変便利である。また、撮影にストロボを適用する場合には、ストロボ発光の有効期間が実効的な露出期間内に収まってストロボの発光エネルギーに関するロスが少なくなる。
【図面の簡単な説明】
【図１】ある電子的撮像装置のシステムブロック図。
【図２】上記図１の撮像装置における撮影処理のフローチャートの一部。
【図３】上記図１の撮像装置における撮影処理のフローチャートの一部。
【図４】上記図１の撮像装置における撮影処理のフローチャートの一部。
【図５】上記図１の撮像装置における撮影動作におけるタイムチャート。
【図６】別の電子的撮像装置におけるシャッタ速固定後のフローチャート。
【図７】上記図６の撮像装置の調整制御のタイムチャート。
【図８】上記図６の撮像装置の調整信号出力部回りのブロック図。
【図９】本発明にかかる実施例の電子的撮像装置のストロボ発光動作のタイムチャート。
【図１０】更に別の例の電子的撮像装置のＥＶＦ表示関連部のブロック構成図。
【図１１】上記図１０の撮像装置のＥＶＦ表示動作のタイムチャート。
【図１２】従来の電子的撮像装置のブロック構成図。
【符号の説明】
３        ＣＣＤ
２０    マイコン
２３    ビデオレベル検出回路
２４    絞り制御部
【図１】
0003627820.tif 000005
【図２】
0003627820.tif 000006
【図３】
0003627820.tif 000007
【図４】
0003627820.tif 000008
【図５】
0003627820.tif 000009
【図６】
0003627820.tif 000010
【図７】
0003627820.tif 000011
【図８】
0003627820.tif 000012
【図９】
0003627820.tif 000013
【図１０】
0003627820.tif 000014
【図１１】
0003627820.tif 000015
【図１２】
0003627820.tif 000016